【手続補正書】
【提出日】平成15年5月29日(2003.5.29)
【手続補正１】
【補正対象書類名】明細書
【補正対象項目名】特許請求の範囲
【補正方法】変更
【補正の内容】
【特許請求の範囲】
【請求項１】
各々が対応する無線アクセス信号空間の少なくとも一部を確立する複数の第一無線ユニットと、
複数の第二無線ユニットと、
課金ユニット
を有する分散無線オンライン・アクセス・システムであって、
各第一無線ユニットが、
複数の第一無線ユニットと第二無線ユニットの少なくとも他の一つの無線ユニットから送信されたデータパケットを受信する無線受信機と、
複数の第一無線ユニットと第二無線ユニットの少なくとも他の一つの無線ユニットにデータパケットを送信する無線送信機と、
受信した移動中のデータパケットを経路指定して、複数の第一無線ユニットと第二無線ユニットの別の無線ユニットに送信するようにプログラム化した処理ユニットとを有し、
各第二無線ユニットが、
少なくとも一つの第一無線ユニットから送信されたデータパケットを受信する無線受信機と、
少なくとも一つの第一無線ユニットにデータパケットを送信する無線送信機と、
受信したデータパケットを処理して、送信するデータパケットを生成するようにプログラム化した処理ユニットとを有し、
課金ユニットが、ｉ）各第一無線ユニットの対応する第一加入者に、オンライン・アクセス・プロバイダが課金するアクセス料金額、ii）各第二無線ユニット対応する第二加入者に、オンライン・アクセス・プロバイダが課金するアクセス料金額、およびiii）各第一無線ユニットの対応する第一加入者に、オンライン・アクセス・プロバイダが返金するアクセス・プロバイダ収入額の、少なくとも一つを計算するようにプログラム化したプロセッサを有することを特徴とする分散無線オンライン・アクセス・システム。
【請求項２】
各第一無線ユニットの対応する第一加入者に、オンライン・アクセス・プロバイダが返金する収入額を計算するように、課金ユニットのプロセッサをプログラム化することを特徴とする請求項１に記載のシステム。
【請求項３】
複数の第一無線ユニットと第二無線ユニットの内の少なくとも一つの無線ユニットが、移動型の無線ユニットであり、
少なくとも一つの第一無線ユニットが、少なくとも一つの他の第一無線ユニットの最大送受信範囲内にあって、複数の第一無線ユニットが、第一無線ユニットをリンクする第一無線ネットワークを構成でき、
移動型の第一無線ユニットが、最初の他の第一無線ユニットの最大送受信範囲を超えて移動し、次の他の第一無線ユニットの最大送受信範囲内に移動して、第一無線ネットワークの第一無線ユニット間のリンクのトポロジを変更できることを特徴とする請求項１記載のシステム。
【請求項４】
無線オンライン・アクセスを提供する方法であって、
第二無線ユニットと少なくとも一つの第一無線ユニットの間に、無線通信リンクを確立して、対応する第二加入者にオンライン・アクセスを提供できる無線アクセス信号空間を確立し、
ｉ）無線信号アクセス空間と、ii）少なくとも一つの第二加入者のオンライン・アクセスの少なくとも一方を提供する代わりに、オンライン・アクセス・プロバイダから返金される収入額を受信し、そのためにプログラム化したプロセッサを含む課金ユニットがその収入額を計算することを特徴とする方法。
【請求項５】
無線オンライン・アクセスを提供する方法であって、
複数の第一無線ユニットに第二無線ユニットの認証を提供して、対応する第一加入者を認証して、対応する第二無線ユニットを介して第二加入者に、対応する第二無線ユニットと対応する第一無線ユニットの間に確立した無線通信リンクを介して、オンライン・アクセスを提供し、
第二無線ユニットが、少なくとも一つの第一無線ユニットの周りの対応する第一加入者によって確立された対応する無線アクセス信号空間内にあり、
無線通信リンクによって少なくとも一つの第一無線ユニットに第二無線ユニットをリンクし、
第二無線ユニットが第二加入者に対応していれば、
ｉ）無線信号アクセス空間と、ii）少なくとも一つの第二加入者のオンライン・アクセスの少なくとも一方を提供する代わりに、対応する第一加入者に収入額を返金し、そのためにプログラム化したプロセッサを含む課金ユニットがその収入額を計算することを特徴とする方法。
【請求項６】
各第一無線ユニットの対応する第一加入者に、オンライン・アクセス・プロバイダが課金するアクセス料金額を計算するために、課金ユニットのプロセッサをプログラム化したことを特徴とする請求項１、２、または３に記載のシステム。
【請求項７】
各第一無線ユニットの対応する第一加入者に、オンライン・アクセス・プロバイダが課金するアクセス料金額を計算するために、課金ユニットのプロセッサをプログラム化したことを特徴とする請求項４または５に記載のシステム。
【請求項８】
オンライン・アクセス・プロバイダが第二加入者に課金するアクセス料金額を計算するために、課金ユニットのプロセッサをプログラム化し、各第二無線ユニットが第二加入者に対応することを特徴とする請求項１、２または３に記載のシステム。
【請求項９】
オンライン・アクセス・プロバイダが第二加入者に課金するアクセス料金額を計算するために、課金ユニットのプロセッサをプログラム化し、各第二無線ユニットが第二加入者に対応することを特徴とする請求項４または５に記載のシステム。
【請求項１０】
第一無線ユニットから報告されたネットワークデータを受信し、その報告されたネットワークデータに少なくとも部分的に基づいて、対応する第一加入者に返金される収入額を計算するために、課金ユニットのプロセッサをプログラム化したことを特徴とする請求項１、２または３に記載のシステム。
【請求項１１】
第一無線ユニットから報告されたネットワークデータを受信し、その報告されたネットワークデータに少なくとも部分的に基づいて、対応する第一加入者に返金される収入額を計算するために、課金ユニットのプロセッサをプログラム化したことを特徴とする請求項４または５に記載のシステム。
【請求項１２】
課金ユニットが報告されたネットワークデータを受信する無線受信機を含むことを特徴とする請求項１０に記載のシステム。
【請求項１３】
課金ユニットが報告されたネットワークデータを受信する無線受信機を含むことを特徴とする請求項１１に記載のシステム。
【請求項１４】
第一加入者に返金される収入額が、対応する第一無線ユニットによって受信され再送信された移動中のデータパケットの量に少なくとも部分的に基づき、その量が報告されたネットワークデータに含まれることを特徴とする請求項１０に記載のシステム。
【請求項１５】
第一加入者に返金される収入額が、対応する第一無線ユニットによって受信され再送信された移動中のデータパケットの量に少なくとも部分的に基づき、その量が報告されたネットワークデータに含まれることを特徴とする請求項１１に記載のシステム。
【請求項１６】
対応する第一無線ユニットの最大送信範囲内で、その対応する第一無線ユニットがその最大送信範囲内にあり、その数が報告されたネットワークデータに含まれる複数の他の第一無線ユニットと、
対応する第一無線ユニットの最大送信範囲内で、その対応する第一無線ユニットがその最大送信範囲内にあり、その数が報告されたネットワークデータに含まれる複数の第二無線ユニット、
の少なくとも一つに、部分的に、第一加入者に返金される収入額が基づくことを特徴とする請求項１０に記載のシステム。
【請求項１７】
対応する第一無線ユニットの最大送信範囲内で、その対応する第一無線ユニットがその最大送信範囲内にあり、その数が報告されたネットワークデータに含まれる複数の他の第一無線ユニットと、
対応する第一無線ユニットの最大送信範囲内で、その対応する第一無線ユニットがその最大送信範囲内にあり、その数が報告されたネットワークデータに含まれる複数の第二無線ユニット、
の少なくとも一つに、部分的に、第一加入者に返金される収入額が基づくことを特徴とする請求項１１に記載のシステム。
【請求項１８】
第一加入者によって採用され、分散無線オンライン・アクセス・システムに参加する複数の他の第一加入者と、
第一加入者によって採用され、分散無線オンライン・アクセス・システムに参加し、各第二無線ユニットが対応する複数の第二加入者、
の少なくとも一方に、部分的に、第一加入者に返金される収入額が基づくことを特徴とする請求項１、２または３に記載のシステム。
【請求項１９】
第一加入者によって採用され、分散無線オンライン・アクセス・システムに参加する複数の他の第一加入者と、
第一加入者によって採用され、分散無線オンライン・アクセス・システムに参加し、各第二無線ユニットが対応する複数の第二加入者、
の少なくとも一方に、部分的に、第一加入者に返金される収入額が基づくことを特徴とする請求項４または５に記載のシステム。
【請求項２０】
少なくとも一つの第一無線ユニットが、第二無線ユニットでもあることを特徴とする請求項１、２または３に記載のシステム。
【請求項２１】
少なくとも一つの第一無線ユニットが、第二無線ユニットでもあることを特徴とする請求項４または５に記載のシステム。
【請求項２２】
さらに外部通信システムに接続する入口ユニットを有し、その入口ユニットが、
そこから送信されたデータパケットを受信し、そこへデータパケットを送信する外部通信システムへのリンクと、
そこから送信されたデータパケットを受信し、そこにデータパケットを送信する少なくとも一つの第一無線ユニットへのリンクとを含むことを特徴とする請求項１、２または３記載のシステム。
【請求項２３】
さらに外部通信システムに接続する入口ユニットを有し、その入口ユニットが、
そこから送信されたデータパケットを受信し、そこへデータパケットを送信する外部通信システムへのリンクと、
そこから送信されたデータパケットを受信し、そこにデータパケットを送信する少なくとも一つの第一無線ユニットへのリンクを含むことを特徴とする請求項４または５記載のシステム。
【請求項２４】
外部通信システムが、インターネットを有することを特徴とする請求項２２に記載のシステム。
【請求項２５】
外部通信システムが、インターネットを有することを特徴とする請求項２３に記載のシステム。
【請求項２６】
外部通信システムへのリンクが、有線リンクを有することを特徴とする請求項２２に記載のシステム。
【請求項２７】
外部通信システムへのリンクが、有線リンクを有することを特徴とする請求項２３に記載のシステム。
【請求項２８】
外部通信システムへのリンクが、無線リンクを有することを特徴とする請求項２２に記載のシステム。
【請求項２９】
外部通信システムへのリンクが、無線リンクを有することを特徴とする請求項２３に記載のシステム。
【請求項３０】
外部通信システムへのリンクが、少なくとも一つの他の第一無線ユニットを含むことを特徴とする請求項２８に記載のシステム。
【請求項３１】
外部通信システムへのリンクが、少なくとも一つの他の第一無線ユニットを含むことを特徴とする請求項２９に記載のシステム。
【請求項３２】
第一無線ユニットへのリンクが、有線リンクを有することを特徴とする請求項２２に記載のシステム。
【請求項３３】
第一無線ユニットへのリンクが、有線リンクを有することを特徴とする請求項２３に記載のシステム。
【請求項３４】
第一無線ユニットへのリンクが、無線リンクを有することを特徴とする請求項２２に記載のシステム。
【請求項３５】
第一無線ユニットへのリンクが、無線リンクを有することを特徴とする請求項２３に記載のシステム。
【請求項３６】
第一無線ユニットへのリンクが、少なくとも一つの他の第一無線ユニットを含むことを特徴とする請求項３４に記載のシステム。
【請求項３７】
第一無線ユニットへのリンクが、少なくとも一つの他の第一無線ユニットを含むことを特徴とする請求項３５に記載のシステム。
【請求項３８】
複数の第一無線ユニットと第二無線ユニットの少なくとも一つの無線ユニットが、その場所で適用可能な政府条例に法的に準拠した免許不要な無線装置であることを特徴とする請求項１、２または３記載のシステム。
【請求項３９】
複数の第一無線ユニットと第二無線ユニットの少なくとも一つの無線ユニットが、その場所で適用可能な政府条例に法的に準拠した免許不要な無線装置であることを特徴とする請求項４または５記載のシステム。
【請求項４０】
複数の第一無線ユニットと第二無線ユニットの少なくとも一つの無線ユニットが、ＩＥＥＥ  ８０２．１１規格に従うことを特徴とする請求項３８記載のシステム。
【請求項４１】
複数の第一無線ユニットと第二無線ユニットの少なくとも一つの無線ユニットが、ＩＥＥＥ  ８０２．１１規格に従うことを特徴とする請求項３９記載のシステム。
【請求項４２】
複数の第一無線ユニットの少なくとも一つの無線ユニットの無線送信機が、指向性送信機であることを特徴とする請求項３８に記載のシステム。
【請求項４３】
複数の第一無線ユニットの少なくとも一つの無線ユニットの無線送信機が、指向性送信機であることを特徴とする請求項３９に記載のシステム。
【請求項４４】
少なくとも一つの第一無線ユニットが、移動型無線ユニットであることを特徴とする請求項１、２または３に記載のシステム。
【請求項４５】
少なくとも一つの第一無線ユニットが、移動型無線ユニットであることを特徴とする請求項４または５に記載のシステム。
【請求項４６】
少なくとも一つの第二無線ユニットが、移動型無線ユニットであることを特徴とする請求項１、２または３に記載のシステム。
【請求項４７】
少なくとも一つの第二無線ユニットが、移動型無線ユニットであることを特徴とする請求項４または５に記載のシステム。
【請求項４８】
さらにオンライン・アクセス・プロバイダが操作する管理ユニットを有し、複数の第一無線ユニットと複数の第二無線ユニットの間の第一無線ネットワークを介して、データパケットの送信を制御し、その管理ユニットが、
複数の第一無線ユニットと複数の第二無線ユニットの内の少なくとも一つの無線ユニットに、問合わせと命令を送信する無線送信機と、
複数の第一無線ユニットと複数の第二無線ユニットの内の少なくとも一つの無線ユニットから、無線ユニット状態データ、第一無線ネットワーク状態データ、データパケット送信データ、および命令承認の少なくとも一つを受信する無線受信機と、
命令および問い合わせを生成し、無線ユニット状態データ、第一無線ネットワーク状態データ、データパケット送信データ、および命令承認の少なくとも一つを処理するプログラム化したプロセッサとを有することを特徴とする請求項１、２または３に記載のシステム。
【請求項４９】
さらにオンライン・アクセス・プロバイダが操作する管理ユニットを有し、複数の第一無線ユニットと複数の第二無線ユニットの間の第一無線ネットワークを介して、データパケットの送信を制御し、その管理ユニットが、
複数の第一無線ユニットと複数の第二無線ユニットの内の少なくとも一つの無線ユニットに、問合わせと命令を送信する無線送信機と、
複数の第一無線ユニットと複数の第二無線ユニットの内の少なくとも一つの無線ユニットから、無線ユニット状態データ、第一無線ネットワーク状態データ、データパケット送信データ、および命令承認の少なくとも一つを受信する無線受信機と、
命令および問い合わせを生成し、無線ユニット状態データ、第一無線ネットワーク状態データ、データパケット送信データ、および命令承認の少なくとも一つを処理するプログラム化したプロセッサとを有することを特徴とする請求項４または５に記載のシステム。
【請求項５０】
管理ユニットのプロセッサが、受信した無線ユニット状態データ、受信した第一無線ネットワーク状態データ、受信したデータパケット送信データ、および受信した命令承認の少なくとも一つに応じて、第一無線ネットワークのデータパケットのトラフィック密度データを生成して、その第一無線ネットワークに新しい第一無線ユニットを追加し、その第一無線ネットワークの一部の局所的なデータパケットのトラフィック密度を低減できることを特徴とする請求項４８に記載のシステム。
【請求項５１】
管理ユニットのプロセッサが、受信した無線ユニット状態データ、受信した第一無線ネットワーク状態データ、受信したデータパケット送信データ、および受信した命令承認の少なくとも一つに応じて、第一無線ネットワークのデータパケットのトラフィック密度データを生成して、その第一無線ネットワークに新しい第一無線ユニットを追加し、その第一無線ネットワークの一部の局所的なデータパケットのトラフィック密度を低減できることを特徴とする請求項４９に記載のシステム。
【請求項５２】
管理ユニットのプロセッサが、第一無線ネットワークの地理的カバーデータを生成し、新しい第一無線ユニットを追加して、複数の第一無線ユニットの一つが適切にカバーしていない地理的領域をカバーすることを特徴とする請求項４８に記載のシステム。
【請求項５３】
管理ユニットのプロセッサが、第一無線ネットワークの地理的カバーデータを生成し、新しい第一無線ユニットを追加して、複数の第一無線ユニットの一つが適切にカバーしていない地理的領域をカバーすることを特徴とする請求項４９に記載のシステム。
【請求項５４】
移動型の第二無線ユニットが、最初の第一無線ユニットの最大送信範囲を超えて、次に第二無線ユニットの最大送信範囲内に移動して、第二無線ユニットと第一無線ネットワークの間のリンクのトポロジを変更することを特徴とする請求項１、２または３に記載のシステム。
【請求項５５】
移動型の第二無線ユニットが、最初の第一無線ユニットの最大送信範囲を超えて、次に第二無線ユニットの最大送信範囲内に移動して、第二無線ユニットと第一無線ネットワークの間のリンクのトポロジを変更することを特徴とする請求項４または５に記載のシステム。
【請求項５６】
移動型第一無線ユニットが自動車上に取り付けられていることを特徴とする請求項１、２または３に記載のシステム。
【請求項５７】
移動型第一無線ユニットが自動車上に取り付けられていることを特徴とする請求項４または５に記載のシステム。
【請求項５８】
移動型第一無線ユニットが、自動車の移動方向と実質的に平行な方向に向けた指向性送信機を含むことを特徴とする請求項５６に記載のシステム。
【請求項５９】
移動型第一無線ユニットが、自動車の移動方向と実質的に平行な方向に向けた指向性送信機を含むことを特徴とする請求項５７に記載のシステム。
【請求項６０】
自動車が通る道路の近傍に、少なくとも一つの他の第一無線ユニットを配置することを特徴とする請求項５６に記載のシステム。
【請求項６１】
自動車が通る道路の近傍に、少なくとも一つの他の第一無線ユニットを配置することを特徴とする請求項５７に記載のシステム。
【請求項６２】
複数の第一無線ユニットと第二無線ユニットの内の複数の無線ユニットが、自動車に取り付けた移動型無線ユニットであって、その自動車が通る、ある長さの道路の一部を包含する過渡的無線オンライン・アクセス・システムを構成できることを特徴とする請求項５６に記載のシステム。
【請求項６３】
複数の第一無線ユニットと第二無線ユニットの内の複数の無線ユニットが、自動車に取り付けた移動型無線ユニットであって、その自動車が通る、ある長さの道路の一部を包含する過渡的無線オンライン・アクセス・システムを構成できることを特徴とする請求項５７に記載のシステム。
【請求項６４】
過渡的無線オンライン・アクセス・システムが、最初の固定位置の第一無線ユニットから、次に固定位置の第一無線ユニットにデータパケットを送信するネットワーク路を提供することを特徴とする請求項６２に記載のシステム。
【請求項６５】
過渡的無線オンライン・アクセス・システムが、最初の固定位置の第一無線ユニットから、次に固定位置の第一無線ユニットにデータパケットを送信するネットワーク路を提供することを特徴とする請求項６３に記載のシステム。